(57)【要約】【課題】貸出用の遊技媒体の払い出しに際して、貸し出しに係る税金の徴収を考慮しつつ、税金の徴収に際して発生する装置の負荷を低減させる。【解決手段】消費税対応遊技媒体払出制御部２５３は、端数判定部２４２により有価価値媒体に記録されている有価価値と、メモリ２７１ａにより蓄積されている徴収税額との差が遊技媒体の球単価以上であると判定された場合、遊技媒体払出制御部８３は、有価価値媒体に記録されている有価価値と、メモリ２７１ａに蓄積されている徴収税額との差に相当する対価の遊技媒体を払い出すように遊技媒体払出部８５を制御する。【選択図】図７
2007307222.tif 000002
【特許請求の範囲】
【請求項１】
遊技媒体を払い出す払出手段と、
所定数の前記遊技媒体の払い出しが要求された場合、前記所定数の遊技媒体の対価に対応する徴収税額を累積的に蓄積する蓄積手段と、
前記所定数の前記遊技媒体の払い出しが要求された場合、有価価値媒体に記録される有価価値が、前記所定数の遊技媒体の対価と、前記蓄積手段により蓄積されている徴収税額との合算金額より大きいか否かを判定する所定数払出判定手段と、
前記所定数払出判定手段により、前記有価価値媒体に記録されている有価価値が、前記所定数の遊技媒体の対価と、前記蓄積手段により蓄積されている徴収税額との合算金額より大きいと判定されたとき、前記所定数の遊技媒体を払い出すように前記払出手段を制御する払出制御手段と、
前記払出制御手段により前記所定数の遊技媒体を払い出すように前記払出手段が制御されたとき、前記払出手段により払い出された前記遊技媒体の対価分を減算して、前記有価価値媒体に記録されている有価価値を更新する更新手段と、
前記所定数払出判定手段により、前記有価価値媒体に記録されている有価価値が、前記所定数の遊技媒体の対価と、前記蓄積手段により蓄積されている徴収税額との合算金額より大きくないと判定されたとき、前記有価価値媒体に記録されている有価価値と、前記蓄積手段により蓄積されている徴収税額との差が前記遊技媒体の単価以上であるか否かを判定する端数払出判定手段とを含み、
前記端数払出判定手段により前記有価価値媒体に記録されている有価価値と、前記蓄積手段により蓄積されている徴収税額との差が前記遊技媒体の単価以上であると判定されたとき、前記払出制御手段は、前記有価価値媒体に記録されている有価価値と、前記蓄積手段により蓄積されている徴収税額との差に相当する対価の遊技媒体を払い出すように前記払出手段を制御する
払出装置。
【請求項２】
前記有価価値媒体の返却が要求された場合、前記有価価値媒体が返却される前に、前記更新手段は、前記蓄積手段により蓄積されている徴収税額を、前記有価価値媒体に記録されている有価価値より減算して更新する
を含む請求項１に記載の払出装置。
【請求項３】
前記有価価値媒体に記録される有価価値は、前記有価価値媒体を用いることにより払い出し可能な前記遊技媒体の個数として記録される
を含む請求項１に記載の払出装置。
【請求項４】
前記端数払出判定手段により前記有価価値媒体に記録されている有価価値と、前記蓄積手段により蓄積されている徴収税額との差が前記遊技媒体の単価以上であると判定されたときであって、前記差が前記単価の倍数ではなく、前記単価より小さな端数が発生するとき、
または、前記端数払出判定手段により前記有価価値媒体に記録されている有価価値と、前記蓄積手段により蓄積されている徴収税額との差が前記遊技媒体の単価以上ではないと判定され、前記単価より小さな端数が発生するとき、
前記更新手段は、前記有価価値媒体に記録されている有価価値として、前記端数を未納金として記録することにより、前記有価価値を更新する
を含む請求項３に記載の払出装置。
【請求項５】
遊技媒体を払い出す払出ステップと、
所定数の前記遊技媒体の払い出しが要求された場合、前記所定数の遊技媒体の対価に対応する徴収税額を累積的に蓄積する蓄積ステップと、
前記所定数の前記遊技媒体の払い出しが要求された場合、有価価値媒体に記録される有価価値が、前記所定数の遊技媒体の対価と、前記蓄積手段により蓄積されている徴収税額との合算金額より大きいか否かを判定する所定数払出判定ステップと、
前記所定数払出判定ステップの処理により、前記有価価値媒体に記録されている有価価値が、前記所定数の遊技媒体の対価と、前記蓄積ステップの処理により蓄積されている徴収税額との合算金額より大きいと判定されたとき、前記所定数の遊技媒体を払い出すように前記払出手段を制御する払出制御ステップと、
前記払出制御ステップの処理により前記所定数の遊技媒体を払い出すように前記払出ステップの処理が制御されたとき、前記払出ステップの処理により払い出された前記遊技媒体の対価分を減算して、前記有価価値媒体に記録されている有価価値を更新する更新ステップと、
前記所定数払出判定ステップの処理により、前記有価価値媒体に記録されている有価価値が、前記所定数の遊技媒体の対価と、前記蓄積手段により蓄積されている徴収税額との合算金額より大きくないと判定されたとき、前記有価価値媒体に記録されている有価価値と、前記蓄積ステップの処理により蓄積されている徴収税額との差が前記遊技媒体の単価以上であるか否かを判定する端数払出判定手段とを含み、
前記端数払出判定ステップの処理により前記有価価値媒体に記録されている有価価値と、前記蓄積ステップの処理により蓄積されている徴収税額との差が前記遊技媒体の単価以上であると判定されたとき、前記払出制御ステップの処理は、前記有価価値媒体に記録されている有価価値と、前記蓄積手段により蓄積されている徴収税額との差に相当する対価の遊技媒体を払い出すように前記払出ステップの処理を制御する
払出方法。
【請求項６】
遊技媒体を払い出す払出ステップと、
所定数の前記遊技媒体の払い出しが要求された場合、前記所定数の遊技媒体の対価に対応する徴収税額を累積的に蓄積する蓄積ステップと、
前記所定数の前記遊技媒体の払い出しが要求された場合、有価価値媒体に記録される有価価値が、前記所定数の遊技媒体の対価と、前記蓄積手段により蓄積されている徴収税額との合算金額より大きいか否かを判定する所定数払出判定ステップと、
前記所定数払出判定ステップの処理により、前記有価価値媒体に記録されている有価価値が、前記所定数の遊技媒体の対価と、前記蓄積ステップの処理により蓄積されている徴収税額との合算金額より大きいと判定されたとき、前記所定数の遊技媒体を払い出すように前記払出手段を制御する払出制御ステップと、
前記払出制御ステップの処理により前記所定数の遊技媒体を払い出すように前記払出ステップの処理が制御されたとき、前記払出ステップの処理により払い出された前記遊技媒体の対価分を減算して、前記有価価値媒体に記録されている有価価値を更新する更新ステップと、
前記所定数払出判定ステップの処理により、前記有価価値媒体に記録されている有価価値が、前記所定数の遊技媒体の対価と、前記蓄積手段により蓄積されている徴収税額との合算金額より大きくないと判定されたとき、前記有価価値媒体に記録されている有価価値と、前記蓄積ステップの処理により蓄積されている徴収税額との差が前記遊技媒体の単価以上であるか否かを判定する端数払出判定手段とを含む処理をコンピュータに実行させ、
前記端数払出判定ステップの処理により前記有価価値媒体に記録されている有価価値と、前記蓄積ステップの処理により蓄積されている徴収税額との差が前記遊技媒体の単価以上であると判定されたとき、前記払出制御ステップの処理は、前記有価価値媒体に記録されている有価価値と、前記蓄積手段により蓄積されている徴収税額との差に相当する対価の遊技媒体を払い出すように前記払出ステップの処理を制御する
プログラム。
【発明の詳細な説明】
【技術分野】
【０００１】
本発明は、払出装置および方法、並びにプログラムに関し、特に、貸出用の遊技球の払い出しに際して、貸し出しに係る税金の徴収を考慮しつつ、税金の徴収に際して発生する装置への負荷を低減できるようにした払出装置および方法、並びにプログラムに関する。
【背景技術】
【０００２】
パチンコ店やパチスロ店に代表される遊技店においては、遊技者は、遊技を開始するに当たり、所定の対価を支払ってIC（Integrated Circuit）カードなどの有価価値媒体を購入した上で、この有価価値媒体を用いるか、または、直接紙幣を投入するなどして、貸球、または、貸メダルを借りて遊技を開始する。
【０００３】
この際、これまで多くの遊技店においては、貸球、または、貸メダルの対価の支払いについて、消費税に代表される税金を個別に徴収しないことが多かった。
【０００４】
そこで、ICカード等の有価価値媒体に記録された有価価値から、払い出した遊技媒体の対価に相当する消費税を差し引いて、ICカードに遊技可能な有価価値として更新して記録させる手法が提案されている（特許文献１参照）。
【０００５】
【特許文献１】特開２００２−３４６２００号公報
【発明の開示】
【発明が解決しようとする課題】
【０００６】
しかしながら、上述の特許文献１に記載された手法において、ICカード等の有価価値媒体に記録された有価価値から消費税を徴収するようにした場合、遊技媒体を借り受ける為の遊技度数に対応する有価価値である金額の単位によっては、遊技媒体の借り受けが出来ない端数金額がICカード上に残ってしまう為、遊技者は精算機にて端数金額を精算する必要があった。
【０００７】
すなわち、例えば、１０００円の有価価値を有するICカードに対して５％の消費税が徴収された場合、ICカードには９５３円の有価価値が記録されている。一方、遊技媒体を借り受ける為の遊技度数が１度数１００円であった場合には９００円に該当する９度数のみが遊技媒体借り受け可能単位となる為、５３円の端数金額が発生する事になってしまう。また、５０００円の有価価値を有するICカードに対して５％の消費税が徴収された場合にはICカードには消費税２３８円が差し引かれた４７６２円の有価価値が記録されている。一方、遊技媒体を借り受ける為の遊技度数が１度数１００円であった場合には４７００円に該当する４７度数のみが遊技媒体借り受け可能単位となる為、６２円の端数金額が発生する事になってしまう。すなわち、遊技者は遊技場にて遊技媒体の借り受けが不可能な最小遊技度数に満たない端数金額を精算処理する煩わしさがあった。
【０００８】
さらに、上述した端数金額に対して、遊技媒体の単価により個数を計算して、単価以上の端数については、遊技媒体を払い出すようにすることも考えられる。しかしながら、遊技媒体の払い出しが要求される度に、消費税による端数を調整しながら遊技媒体を払い出すようにすると、毎回、遊技媒体の個数が変化することになり、遊技媒体を払い出すための制御が煩わしいと供に、端数調整による機械的な負荷も大きかった。
【０００９】
本発明はこのような状況に鑑みてなされたものであり、貸出用の遊技球の払い出しに際して、貸し出しに係る税金の徴収を考慮しつつ、税金の徴収に際して発生する制御の煩わしさと、機械的な負荷を低減できるようにするものである。
【課題を解決するための手段】
【００１０】
本発明の払出装置の一側面は、遊技媒体を払い出す払出手段と、所定数の前記遊技媒体の払い出しが要求された場合、前記所定数の遊技媒体の対価に対応する徴収税額を累積的に蓄積する蓄積手段と、前記所定数の前記遊技媒体の払い出しが要求された場合、有価価値媒体に記録される有価価値が、前記所定数の遊技媒体の対価と、前記蓄積手段により蓄積されている徴収税額との合算金額より大きいか否かを判定する所定数払出判定手段と、前記所定数払出判定手段により、前記有価価値媒体に記録されている有価価値が、前記所定数の遊技媒体の対価と、前記蓄積手段により蓄積されている徴収税額との合算金額より大きいと判定されたとき、前記所定数の遊技媒体を払い出すように前記払出手段を制御する払出制御手段と、前記払出制御手段により前記所定数の遊技媒体を払い出すように前記払出手段が制御されたとき、前記払出手段により払い出された前記遊技媒体の対価分を減算して、前記有価価値媒体に記録されている有価価値を更新する更新手段と、前記所定数払出判定手段により、前記有価価値媒体に記録されている有価価値が、前記所定数の遊技媒体の対価と、前記蓄積手段により蓄積されている徴収税額との合算金額より大きくないと判定されたとき、前記有価価値媒体に記録されている有価価値と、前記蓄積手段により蓄積されている徴収税額との差が前記遊技媒体の単価以上であるか否かを判定する端数払出判定手段とを含み、前記端数払出判定手段により前記有価価値媒体に記録されている有価価値と、前記蓄積手段により蓄積されている徴収税額との差が前記遊技媒体の単価以上であると判定されたとき、前記払出制御手段は、前記有価価値媒体に記録されている有価価値と、前記蓄積手段により蓄積されている徴収税額との差に相当する対価の遊技媒体を払い出すように前記払出手段を制御する。
【００１１】
前記有価価値媒体の返却が要求された場合、前記有価価値媒体が返却される前に、前記更新手段には、前記蓄積手段により蓄積されている徴収税額を、前記有価価値媒体に記録されている有価価値より減算して更新させるようにすることができる。
【００１２】
前記有価価値媒体に記録される有価価値は、前記有価価値媒体を用いることにより払い出し可能な前記遊技媒体の個数として記録されるようにすることができる。
【００１３】
前記端数払出判定手段により前記有価価値媒体に記録されている有価価値と、前記蓄積手段により蓄積されている徴収税額との差が前記遊技媒体の単価以上であると判定された場合であって、前記差が前記単価の倍数ではなく、前記単価より小さな端数が発生するとき、または、前記端数払出判定手段により前記有価価値媒体に記録されている有価価値と、前記蓄積手段により蓄積されている徴収税額との差が前記遊技媒体の単価以上ではないと判定され、前記単価より小さな端数が発生するとき、前記更新手段には、前記有価価値媒体に記録されている有価価値として、前記端数を未納金として記録することにより、前記有価価値を更新させるようにすることができる。
【００１４】
本発明の払出方法の一側面は、遊技媒体を払い出す払出ステップと、所定数の前記遊技媒体の払い出しが要求された場合、前記所定数の遊技媒体の対価に対応する徴収税額を累積的に蓄積する蓄積ステップと、前記所定数の前記遊技媒体の払い出しが要求された場合、有価価値媒体に記録される有価価値が、前記所定数の遊技媒体の対価と、前記蓄積手段により蓄積されている徴収税額との合算金額より大きいか否かを判定する所定数払出判定ステップと、前記所定数払出判定ステップの処理により、前記有価価値媒体に記録されている有価価値が、前記所定数の遊技媒体の対価と、前記蓄積ステップの処理により蓄積されている徴収税額との合算金額より大きいと判定されたとき、前記所定数の遊技媒体を払い出すように前記払出手段を制御する払出制御ステップと、前記払出制御ステップの処理により前記所定数の遊技媒体を払い出すように前記払出ステップの処理が制御されたとき、前記払出ステップの処理により払い出された前記遊技媒体の対価分を減算して、前記有価価値媒体に記録されている有価価値を更新する更新ステップと、前記所定数払出判定ステップの処理により、前記有価価値媒体に記録されている有価価値が、前記所定数の遊技媒体の対価と、前記蓄積手段により蓄積されている徴収税額との合算金額より大きくないと判定されたとき、前記有価価値媒体に記録されている有価価値と、前記蓄積ステップの処理により蓄積されている徴収税額との差が前記遊技媒体の単価以上であるか否かを判定する端数払出判定手段とを含み、前記端数払出判定ステップの処理により前記有価価値媒体に記録されている有価価値と、前記蓄積ステップの処理により蓄積されている徴収税額との差が前記遊技媒体の単価以上であると判定されたとき、前記払出制御ステップの処理は、前記有価価値媒体に記録されている有価価値と、前記蓄積手段により蓄積されている徴収税額との差に相当する対価の遊技媒体を払い出すように前記払出ステップの処理を制御する。
【００１５】
本発明のプログラムの一側面は、遊技媒体を払い出す払出ステップと、所定数の前記遊技媒体の払い出しが要求された場合、前記所定数の遊技媒体の対価に対応する徴収税額を累積的に蓄積する蓄積ステップと、前記所定数の前記遊技媒体の払い出しが要求された場合、有価価値媒体に記録される有価価値が、前記所定数の遊技媒体の対価と、前記蓄積手段により蓄積されている徴収税額との合算金額より大きいか否かを判定する所定数払出判定ステップと、前記所定数払出判定ステップの処理により、前記有価価値媒体に記録されている有価価値が、前記所定数の遊技媒体の対価と、前記蓄積ステップの処理により蓄積されている徴収税額との合算金額より大きいと判定されたとき、前記所定数の遊技媒体を払い出すように前記払出手段を制御する払出制御ステップと、前記払出制御ステップの処理により前記所定数の遊技媒体を払い出すように前記払出ステップの処理が制御されたとき、前記払出ステップの処理により払い出された前記遊技媒体の対価分を減算して、前記有価価値媒体に記録されている有価価値を更新する更新ステップと、前記所定数払出判定ステップの処理により、前記有価価値媒体に記録されている有価価値が、前記所定数の遊技媒体の対価と、前記蓄積手段により蓄積されている徴収税額との合算金額より大きくないと判定されたとき、前記有価価値媒体に記録されている有価価値と、前記蓄積ステップの処理により蓄積されている徴収税額との差が前記遊技媒体の単価以上であるか否かを判定する端数払出判定手段とを含む処理をコンピュータに実行させ、前記端数払出判定ステップの処理により前記有価価値媒体に記録されている有価価値と、前記蓄積ステップの処理により蓄積されている徴収税額との差が前記遊技媒体の単価以上であると判定されたとき、前記払出制御ステップの処理は、前記有価価値媒体に記録されている有価価値と、前記蓄積手段により蓄積されている徴収税額との差に相当する対価の遊技媒体を払い出すように前記払出ステップの処理を制御する。
【００１６】
本発明の払出装置および方法、並びにプログラムにおいては、遊技媒体が払い出され、所定数の前記遊技媒体の払い出しが要求された場合、前記所定数の遊技媒体の対価に対応する徴収税額が累積的に蓄積され、前記所定数の前記遊技媒体の払い出しが要求された場合、有価価値媒体に記録される有価価値が、前記所定数の遊技媒体の対価と、蓄積されている徴収税額との合算金額より大きいか否かが判定され、前記有価価値媒体に記録されている有価価値が、前記所定数の遊技媒体の対価と、蓄積されている徴収税額との合算金額より大きいと判定されたとき、前記所定数の遊技媒体が払い出されるように制御され、前記所定数の遊技媒体が払い出されるように制御されたとき、払い出された前記遊技媒体の対価分が減算されて、前記有価価値媒体に記録されている有価価値が更新され、前記有価価値媒体に記録されている有価価値が、前記所定数の遊技媒体の対価と、蓄積されている徴収税額との合算金額より大きくないと判定されたとき、前記有価価値媒体に記録されている有価価値と、蓄積されている徴収税額との差が前記遊技媒体の単価以上であるか否かが判定され、前記有価価値媒体に記録されている有価価値と、蓄積されている徴収税額との差が前記遊技媒体の単価以上であると判定されたとき、前記有価価値媒体に記録されている有価価値と、蓄積されている徴収税額との差に相当する対価の遊技媒体が払い出されるように制御される。
【００１７】
すなわち、本発明の払出装置における、遊技媒体を払い出す払出手段とは、例えば、遊技球を払い出す遊技媒体払出部であり、所定数の前記遊技媒体の払い出しが要求された場合、前記所定数の遊技媒体の対価に対応する徴収税額を累積的に蓄積する蓄積手段とは、例えば、消費税徴収履歴管理部のメモリであり、前記所定数の前記遊技媒体の払い出しが要求された場合、有価価値媒体に記録される有価価値が、前記所定数の遊技媒体の対価と、前記蓄積手段により蓄積されている徴収税額との合算金額より大きいか否かを判定する所定数払出判定手段とは、例えば、所定数判定部であり、前記所定数払出判定手段により、前記有価価値媒体に記録されている有価価値が、前記所定数の遊技媒体の対価と、前記蓄積手段により蓄積されている徴収税額との合算金額より大きいと判定されたとき、前記所定数の遊技媒体を払い出すように前記払出手段を制御する払出制御手段とは、例えば、遊技媒体払出制御部であり、前記払出制御手段により前記所定数の遊技媒体を払い出すように前記払出手段が制御されたとき、前記払出手段により払い出された前記遊技媒体の対価分を減算して、前記有価価値媒体に記録されている有価価値を更新する更新手段とは、例えば、有価価値媒体情報読取書込部であり、前記所定数払出判定手段により、前記有価価値媒体に記録されている有価価値が、前記所定数の遊技媒体の対価と、前記蓄積手段により蓄積されている徴収税額との合算金額より大きくないと判定されたとき、前記有価価値媒体に記録されている有価価値と、前記蓄積手段により蓄積されている徴収税額との差が前記遊技媒体の単価以上であるか否かを判定する端数払出判定手段とは、例えば、端数判定部であり、例えば、前記端数判定部である前記端数払出判定手段により前記有価価値媒体に記録されている有価価値と、前記蓄積手段により蓄積されている徴収税額との差が前記遊技媒体の単価以上であると判定されたとき、例えば、前記遊技媒体払出制御部である前記払出制御手段は、前記有価価値媒体に記録されている有価価値と、前記蓄積手段により蓄積されている徴収税額との差に相当する対価の遊技媒体を払い出すように前記払出手段を制御する。
【００１８】
すなわち、前記所定数の前記遊技媒体の払い出しが要求された場合、有価価値媒体に記録される有価価値が、前記所定数の遊技媒体の対価と、蓄積されている徴収税額との合算金額より大きいと判定されたとき、前記遊技媒体払出制御部は、前記所定数の遊技球を払い出すように制御し、有価価値媒体情報読取書込部が、払い出された前記遊技媒体の対価分を減算して、前記有価価値媒体に記録されている有価価値を更新する。また、前記有価価値媒体に記録されている有価価値が、前記所定数の遊技媒体の対価と、蓄積されている徴収税額との合算金額より大きくないと判定されたときであって、前記有価価値媒体に記録されている有価価値と、蓄積されている徴収税額との差が前記遊技媒体の単価以上であると判定されたとき、前記遊技媒体払出制御部は、前記有価価値媒体に記録されている有価価値と、蓄積されている徴収税額との差に相当する対価の遊技球を払い出すように制御する。
【００１９】
つまり、前記有価価値媒体に記録されている有価価値が、前記所定数の遊技媒体の対価と、蓄積されている徴収税額との合算金額より大きくないと判定されるまでは、払い出しが要求される度に、所定数の遊技球を払い出した後は、徴収税額を蓄積して、払い出した所定数の遊技球の対価の分の有価価値を減算し続ける。そして、前記有価価値媒体に記録されている有価価値が、前記所定数の遊技媒体の対価と、蓄積されている徴収税額との合算金額より大きくない状態であって、かつ、前記有価価値媒体に記録されている有価価値と、蓄積されている徴収税額との差が前記遊技球の単価以上であるとき、前記有価価値媒体に記録されている有価価値と、蓄積されている徴収税額との差に相当する対価の、いわゆる端数となった遊技球を払い出すように制御する。
【００２０】
結果として、所定数の遊技球が払い出され続けた後、さらに所定数の遊技球の払い出しが要求された場合、前記有価価値媒体に記録されている有価価値が、前記所定数の遊技媒体の対価と、蓄積されている徴収税額との合算金額より大きくない状態になったとき、前記有価価値媒体に記録されている有価価値と、蓄積されている徴収税額との差に相当する、端数分の遊技球が払い出されることになるので、有価価値媒体に記録された有価価値が、所定数の遊技球の対価より少ない状態、すなわち、有価価値が所定数より少なくなった、最後の端数となったときにだけ消費税に対応した個数の遊技球を払い出すようにさせることができるので、遊技球の貸し出しに対して消費税を課しつつも、遊技媒体払出部が、端数を払い出す回数を低減させる事ができ、遊技媒体払出部の機械的負荷を低減させる事が可能となり、遊技媒体払出部の寿命を向上させることが可能となる。
【発明の効果】
【００２１】
本発明によれば、貸出用の遊技媒体の払い出しに際して、貸し出しに係る税金の徴収を考慮しつつ、税金の徴収に際して発生する装置への負荷を低減することが可能となる。
【発明を実施するための最良の形態】
【００２２】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
すなわち、本発明の払出装置の一側面は、遊技媒体を払い出す払出手段（例えば、図７の遊技媒体払出部８５）と、所定数の前記遊技媒体の払い出しが要求された場合、前記所定数の遊技媒体の対価に対応する徴収税額を累積的に蓄積する蓄積手段（例えば、図７の消費税徴収履歴管理部２７１）と、前記所定数の前記遊技媒体の払い出しが要求された場合、有価価値媒体に記録される有価価値が、前記所定数の遊技媒体の対価と、前記蓄積手段により蓄積されている徴収税額との合算金額より大きいか否かを判定する所定数払出判定手段（例えば、図７の所定数判定部２４１）と、前記所定数払出判定手段により、前記有価価値媒体に記録されている有価価値が、前記所定数の遊技媒体の対価と、前記蓄積手段により蓄積されている徴収税額との合算金額より大きいと判定されたとき、前記所定数の遊技媒体を払い出すように前記払出手段を制御する払出制御手段（例えば、図７の遊技媒体払出制御部８３）と、前記払出制御手段により前記所定数の遊技媒体を払い出すように前記払出手段が制御されたとき、前記払出手段により払い出された前記遊技媒体の対価分を減算して、前記有価価値媒体に記録されている有価価値を更新する更新手段（例えば、図７の有価価値媒体情報読取書込制御部２７３）と、前記所定数払出判定手段により、前記有価価値媒体に記録されている有価価値が、前記所定数の遊技媒体の対価と、前記蓄積手段により蓄積されている徴収税額との合算金額より大きくないと判定された場合、前記有価価値媒体に記録されている有価価値と、前記蓄積手段により蓄積されている徴収税額との差が前記遊技媒体の単価以上であるか否かを判定する端数払出判定手段（例えば、図７の端数判定部２４２）とを含み、前記端数払出判定手段により前記有価価値媒体に記録されている有価価値と、前記蓄積手段により蓄積されている徴収税額との差が前記遊技媒体の単価以上であると判定された場合、前記払出制御手段（例えば、図７の遊技媒体払出制御部８３）は、前記有価価値媒体に記録されている有価価値と、前記蓄積手段により蓄積されている徴収税額との差に相当する対価の遊技媒体を払い出すように前記払出手段を制御する。
【００２４】
前記有価価値媒体の返却が要求された場合、前記有価価値媒体が返却される前に、前記更新手段（例えば、図７の有価価値媒体情報読取書込制御部２７３）には、前記蓄積手段により蓄積されている徴収税額を、前記有価価値媒体に記録されている有価価値より減算して更新させるようにすることができる。
【００２５】
前記端数払出判定手段（例えば、図７の端数判定部２４２）により前記有価価値媒体に記録されている有価価値と、前記蓄積手段により蓄積されている徴収税額との差が前記遊技媒体の単価以上であると判定された場合であって、前記差が前記単価の倍数ではなく、前記単価より小さな端数が発生するとき、または、前記端数払出判定手段（例えば、図７の端数判定部２４２）により前記有価価値媒体に記録されている有価価値と、前記蓄積手段により蓄積されている徴収税額との差が前記遊技媒体の単価以上ではないと判定され、前記単価より小さな端数が発生する場合、前記更新手段（例えば、図７の有価価値媒体情報読取書込制御部２７３）には、前記有価価値媒体に記録されている有価価値として、前記端数を未納金として記録することにより、前記有価価値を更新させるようにすることができる。
【００２６】
本発明の払出方法の一側面は、遊技媒体を払い出す払出ステップ（例えば、図１２のステップＳ１１０の処理）と、所定数の前記遊技媒体の払い出しが要求された場合（例えば、図１２のステップＳ１０８の処理におけるYesの場合）、前記所定数の遊技媒体の対価に対応する徴収税額を累積的に蓄積する蓄積ステップ（例えば、図１２のステップＳ１１２の処理）と、前記所定数の前記遊技媒体の払い出しが要求された場合、有価価値媒体に記録される有価価値が、前記所定数の遊技媒体の対価と、前記蓄積手段により蓄積されている徴収税額との合算金額より大きいか否かを判定する所定数払出判定ステップ（例えば、図１２のステップＳ１０９の処理）と、前記所定数払出判定ステップの処理により、前記有価価値媒体に記録されている有価価値が、前記所定数の遊技媒体の対価と、前記蓄積ステップの処理により蓄積されている徴収税額との合算金額より大きいと判定されたとき、前記所定数の遊技媒体を払い出すように前記払出手段を制御する払出制御ステップ（例えば、図１２のステップＳ１１０の処理）と、前記払出制御ステップの処理により前記所定数の遊技媒体を払い出すように前記払出ステップの処理が制御されたとき、前記払出ステップの処理により払い出された前記遊技媒体の対価分を減算して、前記有価価値媒体に記録されている有価価値を更新する更新ステップ（例えば、図１２のステップＳ１１１の処理）と、前記所定数払出判定ステップの処理により、前記有価価値媒体に記録されている有価価値が、前記所定数の遊技媒体の対価と、前記蓄積手段により蓄積されている徴収税額との合算金額より大きくないと判定された場合、前記有価価値媒体に記録されている有価価値と、前記蓄積ステップの処理により蓄積されている徴収税額との差が前記遊技媒体の単価以上であるか否かを判定する端数払出判定手段（例えば、図１２のステップＳ１１４の処理）とを含み、前記端数払出判定ステップの処理により前記有価価値媒体に記録されている有価価値と、前記蓄積ステップの処理により蓄積されている徴収税額との差が前記遊技媒体の単価以上であると判定された場合（例えば、図１２のステップＳ１１４の処理でYesの場合）、前記払出制御ステップの処理は、前記有価価値媒体に記録されている有価価値と、前記蓄積手段により蓄積されている徴収税額との差に相当する対価の遊技媒体を払い出すように前記払出ステップの処理を制御する（例えば、図１２のステップＳ１１５の処理）。
【００２７】
図１は、本発明に係る遊技店の遊技媒体貸出管理システムの一実施の形態の構成を示す図である。
【００２８】
遊技店１−１乃至１−ｎは、いわゆるパチンコ店、または、パチスロ店である。また、これらの遊技店１−１乃至１−ｎは、系列店舗または第３者遊技店管理センタの加盟店であって、複数の店舗を統括的に管理する必要のある店舗である。各遊技店１−１乃至１−ｎは、第３者遊技店管理バス２により接続されており、第３者遊技店管理バス２およびインターネット等に代表される公衆通信回線網３を介して、相互にそれぞれ第３者遊技店管理情報を授受している。尚、以降において、遊技店１−１乃至１−ｎのそれぞれについて、特に区別する必要がない場合、単に、遊技店１と称するものとし、その他の構成についても同様に称するものとする。
【００２９】
第３者遊技店管理センタ４は、第３者遊技店管理センタを管理運営する事業者により使用されるサーバである。管理部４ａは、第３者遊技店管理データベース（DB）５で管理されている媒体貸出管理情報からなるDBを各遊技店１より供給されてくる情報に基づいて更新することで、順次蓄積すると供に、更新した最新の媒体貸出管理情報をRTC（Real Time Clock）４ｂにより発生される時刻情報に基づいて、所定時間間隔で各遊技店１の媒体貸出管理装置２４に対して配信する。
【００３０】
遊技店管理装置２１は、いわゆるホールコンピュータと呼ばれるものであり、遊技店管理情報バス３１を介して遊技台３６−１乃至３６−ｍの動作を監視している。遊技店管理装置２１は、遊技台３６の出玉もしくはメダルの払い出しの情報、各遊技台３６−１乃至３６−ｍの遊技者の呼び出し情報、またはエラーの発生などの監視状況に応じて、所定の処理を実行し、実行結果をCRT（Cathode Tube Ray）またはLCD（Liquid Crystal Display）などからなる表示部２２に表示する。遊技店管理装置２１は、精算販売機３２、貸出機３３、計数機３４、貯球払機３５、遊技台３６−１乃至３６−ｍ、および遊技媒体貸出装置３７−１乃至３７−ｍのそれぞれより供給されてくる情報を、それぞれを識別する識別情報（例えば、遊技台番号）とを対応付けて遊技台管理データベース２３により管理する。
【００３１】
媒体貸出管理装置２４は、精算販売機３２、貸出機３３、および計数機３４、貯球払機３５、および遊技媒体貸出装置３６からの情報に基づいて、貸し出される遊技媒体の媒体貸出管理情報を媒体貸出管理データベース２６を用いて管理すると供に、媒体貸出管理データベース２６に登録されている媒体貸出管理情報を更新する際、その更新情報を、第３者遊技店管理バス２および公衆通信回線網３を介して第３者遊技店管理センタ４に送る。さらに、媒体貸出管理装置２４は、第３者遊技店管理バス２および公衆通信回線網３を介して第３者遊技店管理センタ４により供給されてくる媒体貸出管理情報を取得し、媒体貸出管理データベース２６に蓄積させる。
【００３２】
貸出機３３は、遊技者が遊技台３６で遊技する際、現金やプリペイドカードなどにより所定の金額を受け付けると、金額に応じた個数の遊技媒体を貸し出す。この際、貸出機３３は、受け付けた現金やプリペイドカードの残数などの情報と供に、貸し出した遊技媒体の個数の情報を媒体貸出管理装置２４に供給する。これにより、媒体貸出管理装置２４は、受け付けた現金やプリペイドカードの残数などの情報と供に、貸し出した遊技媒体の個数の情報をプリペイドカードなどの有価価値媒体情報として、媒体貸出管理情報データベース２９に登録する。
【００３３】
精算販売機３２は、貸球を借りるための遊技度数をつけてプリペイドカードのような使い捨ての有価価値媒体（ビジタ型有価価値媒体）を販売する。このとき、精算販売機３２は、販売した有価価値媒体の遊技度数や払いうけた金額を媒体貸出管理装置２４に供給する。また、精算販売機３２は、有価価値媒体などの遊技度数として貸し出した遊技媒体の残数に基づいて現金を精算して払い出す。このとき、精算販売機３２は、有価価値媒体の残数と払い戻した現金の金額を媒体貸出管理装置２４に供給する。また、精算販売機３２は、遊技者が所定の手続により入会することで得られる会員カードと一体化した有価価値媒体を発行することもでき、同様に遊技球を貸出すことができる。さらに、精算販売機３２は、現金を受け付けて会員カード型の有価価値媒体（会員カード型有価価値媒体）に、受け付けた金額に応じて遊技度数をチャージさせることができる。
【００３４】
計数機３４は、遊技者が遊技台３６により遊技することにより獲得した遊技媒体の数を、計数し、計数結果を磁気カードやレシートなどとして出力する。
【００３５】
貯球払機３５は、遊技者が、遊技台３６を遊技することにより得られた遊技球などの遊技媒体の個数を貯球すると供に、貯球した遊技球数などの情報を遊技者の所有する会員カード（有価価値媒体）に記録する。また、貯球払機３５は、会員カード（有価価値媒体）に記録された貯球の情報に基づいて、必要に応じて貯球されている遊技球を払い出し、払い出すことにより変化した貯球の情報を会員カードに記録（更新）する。
【００３６】
遊技台３６−１乃至３６−ｍは、例えば、図２で示されるように、遊技者によりハンドル５４が回転されるといった所定の操作がなされることにより、遊技を実行し、いわゆる小当たりや大当たりに応じて、遊技球、または、メダルを払い出す。
【００３７】
遊技媒体貸出装置３７−１乃至３７−ｍは、例えば、図２で示されるように、各遊技台３６−１乃至３６−ｍに対応して設けられている、いわゆる台間機であり、台間球貸機（原理的には、貸出機３３と同様のもの）などが設けられている。
【００３８】
次に、遊技台３６および遊技媒体貸出装置３７の詳細な構成について説明する。
【００３９】
図２で示されるように、遊技台３６には、中央部分に表示部５１、貸出ボタン５２、および返却ボタン５３が設けられており、右下部分にハンドル５４が設けられている。表示部５１は、遊技媒体貸出装置３７に挿入された有価価値媒体３０１または３２１（図８，図９）に記録されている遊技度数を表示する。貸出ボタン５２は、遊技者が遊技媒体である遊技球を借りたいとき、操作されるボタンである。返却ボタン５３は、遊技者が遊技台３６に対応して設けられている遊技媒体貸出装置３７に投入したビジタ型有価価値媒体、または会員カード型有価価値媒体の返却を要求するとき操作される。
【００４０】
また、図３で示されるように、遊技媒体貸出装置３７には、上から紙幣投入返却口６１、表示部６２、操作部６３、ノズル６４、ICコイン型有価価値媒体投入部６５、カード型有価価値媒体投入返却部６６、およびICコイン型有価価値媒体返却部６７が設けられている。
【００４１】
紙幣投入返却口６１は、遊技媒体である遊技球を借りるとき遊技者より紙幣が投入される。また、後述する紙幣投入返却口６１より投入された紙幣の真偽判定により真券ではないと判定された場合、紙幣投入返却口６１は、投入された紙幣を返却する。表示部６２は、遊技媒体貸出装置３７に挿入された有価価値媒体３０１または３２１（図８，図９）に記録されている遊技度数を表示する。操作部６３は、遊技媒体の貸出を要求するとき操作される。ノズル６４は、遊技媒体である遊技球を貸し出すとき、貸し出す遊技球を排出する。
【００４２】
ICコイン型有価価値媒体投入部６５は、ICコイン型の有価価値媒体が挿入されると、挿入されたICコイン型の有価価値媒体を有価価値媒体投入返却部８７（図４）に搬送する。また、ICコイン型有価価値媒体返却部６７は、ICコイン型有価価値媒体の返却が要求されたとき、有価価値媒体投入返却部８７より排出されるICコイン型有価価値媒体を搬出することにより返却する。カード型有価価値媒体投入返却部６６は、挿入されるカード型の有価価値媒体を、有価価値媒体が、有価価値媒体情報を有価価値媒体情報読取書込制御部２７３（図７）と通信できる位置にまで搬送させると供に、カード型有価価値媒体の返却が要求されたとき、カード型有価価値媒体を排出することにより返却する。このように、有価価値媒体には、ICコイン型の形式のものと、カード型の形式のものとが存在するが、いずれにおいても、有価価値媒体情報の読み出し、または、書き込みについては、有価価値媒体情報読取書込制御部２７３との通信により実現される。尚、当然のことながら、ICコイン型の形式のものと、カード型の形式のものと、それぞれについて有価価値媒体情報の読み出し、または、書き込みを行う機構を設けるようにしても良いことは言うまでもない。
【００４３】
次に、図４を参照して、遊技媒体貸出装置３７の内部構成について詳細を説明する。図４は、遊技媒体貸出装置３７の側面断面図である。
【００４４】
遊技媒体貸出装置３７の上前部には、紙幣識別装置８１が設けられており、紙幣投入返却口６１より投入された紙幣が真券であるか否かを判定し、真券である場合、有価価値媒体投入返却部８７に供給する。消費税対応制御部８２は、遊技球の貸出に際して発生する対価に見合う消費税を計算する。遊技媒体払出制御部８３は、消費税対応制御部８２、および、後述する有価価値媒体投入返却部８７からの情報に基づいて、遊技媒体払出部８５を制御して、図５で示されるように、遊技媒体供給通路８４を介して供給される遊技球を払出通路８６を介してノズル６４より遊技者に貸し出す。尚、遊技媒体払出制御部８３は、貸し出すべき遊技球を払いだせれば必ずしもノズル６４から払い出す必要は無く、例えば、遊技台３６の内部に設けられている遊技球の払い出し機構を制御して払い出すようにしても良い。
【００４５】
尚、本実施例においては、遊技球の貸し出し料金に科せられる税金として消費税の場合について説明を進めるものとするが、計算される課税額は、遊技球の貸し出し料金に対応して課税される金額であればよいので、必ずしも消費税に限るものではなく、その他の税金や、追加徴収される料金などであってもよい。
【００４６】
より詳細には、遊技媒体払出部８５は、図６の上部で示されるように、遊技媒体供給通路８４より供給される遊技球を遊技球供給口１２１で受けると、遊技球と略同径の媒体通路１３１，１３２を介して、払出口１３４より後段の払出通路８６に払い出す。この際、遊技媒体払出部８５は、スプロケット１３５の回転を制御することにより、排出する遊技球の個数を制御する。より具体的には、遊技媒体払出部８５は、遊技球を払い出すとき、検出部１３６で遊技球を検出している状態で、スプロケット１３５を図中の回転方向に回転させ、計数部１３３により遊技球の球数を計測して、所定数分だけを払い出した後、スプロケット１３５の回転を停止させる。この処理により、遊技媒体払出部８５は、スプロケット１３５の回転により払い出す遊技球の個数を制御する。
【００４７】
尚、図６の上段は、遊技媒体払出部８５の外観斜視図であり、図６の中段は、遊技媒体払出部８５の側面断面図であり、図６の下段は、遊技媒体払出部８５の媒体通路１３１，１３２およびスプロケット１３５のみを示した側面断面図である。
【００４８】
遊技媒体投入返却部８７は、ICコイン型有価価値媒体投入部６５より、投入通路８８を介して投入されたICコイン型有価価値媒体に記録されている有価価値を、有価価値媒体読取書込部２７３を制御して読み出し、読み出した有価価値の情報を遊技媒体払出制御部８３に供給する。
【００４９】
遊技媒体投入返却部８７においては、通路９３を介して、図示せぬICコイン型有価価値媒体のホッパよりICに有価価値のデータが記録されていないICコイン有価価値媒体が搬送部９２に供給される。または、遊技者がICコインをICコイン型有価価値媒体投入部６５にICコイン型有価価値媒体を投入すると投入通路８８を介して、投入されたICコイン型有価価値媒体が搬送部９２に供給される。
【００５０】
搬送部９２は、図４で示されるように、略円盤状の一部に凹部が設けられた形状であり、その中心部９２ａを軸として、図中の矢印ＡまたはＢ方向に回転する。また、搬送部９２の凹部は、通路９３または投入通路８８より供給されてくるICコイン型有価価値媒体を捕捉できる程度の大きさの窪みであり、通常、図４で示されるように搬送部９２の中心９２ａの垂直上方に固定された状態となっている。
【００５１】
さらに、図４で示されるように、搬送部９２の凹部にICコイン型有価価値媒体が固定される位置は、ICコイン型有価価値媒体が停留する位置と、略同位置の高さであって、ICコイン型有価価値媒体の面と平行となる位置に有価価値媒体情報読取書込部９１が設けられており、必要に応じてICコイン型有価価値媒体のICに記録されている情報を読み出す、または、ICコイン型有価価値媒体のICに情報を記録する。
【００５２】
また、搬送部９２は、ICコイン型有価価値媒体が投入された状態、すなわち、搬送部９２の凹部によりICコイン型有価価値媒体が固定されている状態において、例えば、ICコイン型有価価値媒体に有価価値、すなわち、遊技度数が０の状態であって、返却の必要が無いような場合、図中の矢印A方向に回転することで、使用済みのICコイン型有価価値媒体を通路９０を介して回収部９４に排出して、ICコイン型有価価値媒体を回収する。また、ICコイン型有価価値媒体であっても、有価価値、すなわち、遊技度数が０以上であり、遊技者により返却が求められた場合、搬送部９２は、図中の矢印Ｂ方向に回転することにより、返却通路８９を介して、ICコイン型有価価値媒体返却部６７にICコイン型有価価値媒体を排出することで、ICコイン型有価価値媒体を返却する。
【００５３】
尚、以上においては、ICコイン型有価価値媒体の例にのみ詳細を説明してきたが、カード型有価価値媒体に対応した、機能上は、磁気式、または、IC式などのカード型有価価値媒体の有価価値媒体情報を記録更新できる有価価値媒体情報読取書込部９１と同一のものが図示しないが設けられている。
【００５４】
次に、図７を参照して、媒体貸出管理装置２４、および遊技媒体貸出装置３７により実現される機能について説明する。
【００５５】
税率球単価設定部２０１は、操作ボタンなどにより遊技球の単価、および遊技球の貸し出しにかかる対価に課される税率を設定し、設定情報を設定情報送信部２０２に供給して、各遊技球媒体貸出装置３７に配信させる。
【００５６】
有価価値媒体制御部２０３は、個々の有価価値媒体が発行される際に媒体貸出管理データベース２６に登録すると共に、それらの有価価値媒体が用いられることにより変化する有価価値を履歴として更新して、媒体貸出管理データベース２６を管理する。さらに、有価価値媒体制御部２０３は、RTC（Real Time Clock）２１５により発生する時刻情報に基づいて、媒体貸出管理データベース２６の更新情報を第３者遊技店管理センタ４にアップロードすると共に、各遊技店１よりアップロードされることにより更新された第３者遊技店管理データベース５の情報が配信されてくると、ダウンロードし媒体貸出管理データベース２６を更新する。
【００５７】
有価価値媒体情報管理部２１１は、有価価値媒体情報送受信部２１２により遊技媒体貸出装置３７で新たな有価価値媒体の発行があったことを示す通知があった場合、その有価価値媒体の媒体IDを登録し、対応する各種の有価価値媒体情報を媒体貸出管理データベース２６に登録する。また、有価価値媒体情報管理部２１１は、有価価値媒体情報送受信部２１２により遊技媒体貸出装置３７に投入された有価価値媒体の媒体IDを含む有価価値媒体情報が供給されてきた場合、その有価価値媒体の媒体IDに基づいて、有価価値媒体を照合して正規の有価価値媒体であるか否かを判定し、判定結果を有価価値媒体情報送受信部２１２を制御して、遊技媒体貸出装置３７に供給する。
【００５８】
遊技媒体貸出履歴記憶部２１３は、遊技媒体貸出装置３７より有価価値媒体により遊技媒体が貸し出された場合、遊技媒体貸出装置３７より供給されてくる有価価値媒体情報を貸出履歴情報として遊技媒体貸出履歴受信部２１４を介して受信し、媒体貸出管理データベース２６を更新する。
【００５９】
消費税対応制御部８２の設定情報受信部２５１は、媒体貸出管理装置２４より供給されてくる遊技媒体の単価や、遊技媒体の貸し出しに係る料金に課される税率の情報を受信して、設定情報登録部２５２に供給する。設定情報登録部２５２は、設定情報受信部２５１より供給されてくる設定情報を登録して記憶する。消費税対応遊技媒体払出制御部２５３は、遊技媒体払出制御部８３により制御され、遊技媒体払出制御部８３より供給されてくる今現在の遊技度数の情報に基づいて、また、遊技媒体払出制御部８３は、有価価値媒体投入返却部８７からの有価価値の情報に基づいて、所定数判定部２４１、および端数制御部２４２を制御して、払い出す遊技球数を決定して、遊技媒体払出制御部８３に供給する。また、遊技媒体払出制御部８３は、未納金計算部２４３を制御して、未納金を計算させる。
【００６０】
遊技媒体払出制御部８３は、操作部６３が操作されることにより、遊技球の貸し出しが指示された場合、有価価値媒体投入返却部８７からの有価価値媒体に記録された有価価値の情報、すなわち、現在の遊技度数を消費税対応制御部８２に供給し、払い出す遊技球数を問い合わせ、その問合結果に応じて、遊技媒体払出部８５を制御して、遊技球を払い出させる。この際、遊技媒体払出制御部８３は、有価価値媒体投入返却部８７からの遊技度数の情報に基づいて、表示部６２に遊技度数を表示する。
【００６１】
消費税徴収履歴管理部２７１は、遊技媒体払出制御部８３により遊技球が払い出されるときの消費税の徴収の状態を管理する。消費税徴収履歴管理部２７１は、有価価値媒体毎にメモリ２７１ａに消費税の徴収履歴の情報として、消費税遊技媒体数を記憶させる。消費税遊技媒体数は、遊技度数から徴収されていない、遊技球の貸し出し料金に課せられる未徴収の消費税を示すデータである。
【００６２】
有価価値媒体情報送受信部２７２は、有価価値媒体情報読取書込制御部２７３より供給されてくる有価価値媒体の情報を媒体貸出管理装置２４に送信すると共に、有価価値媒体の情報に含まれる媒体IDに基づいた照合結果を受信し、遊技媒体払出制御部８３に供給する。
【００６３】
有価価値媒体情報読取書込制御部２７３は、有価価値媒体情報読取書込部９１を制御して、有価価値媒体に記録されている有価価値の情報の読み出し、および、記録を制御する。
【００６４】
遊技媒体貸出履歴管理装置２７４は、有価価値媒体毎に遊技媒体の貸し出し履歴を管理し、貸し出し履歴の情報を媒体貸出管理装置２４に送信する。
【００６５】
有価価値媒体発行部２７５は、紙幣投入返却口６１より紙幣が投入されて、紙幣識別装置８１により真券であるとみなされた場合、有価価値媒体情報読取書込制御部２７３を制御して、紙幣の金額に相当する遊技度数を記録した、新たな有価価値媒体を発行する。
【００６６】
次に、図８，図９を参照して、有価価値媒体の構成について説明する。有価価値媒体は、使い捨てのビジタ用有価価値媒体３０１（図８）と、会員カードと一体化した会員用有価価値媒体３２１（図９）の２種類が存在する。図８は、使い捨てのビジタ用有価価値媒体３０１の構成について示されている。媒体ID３１１は、発行の際、有価価値媒体３０１を個別に識別するためのIDである。遊技度数データ３１２は、有価価値媒体３０１に記録される借り受けることができる有価価値の個数を示す情報であり、例えば、遊技度数が１で遊技媒体１個分を借りることが可能であることを示す情報が記録される。未納金データ３１３は、遊技度数データ３１２から所定個数ずつ（所定遊技度数毎に）遊技媒体が貸し出される中で、貸し出される遊技球の数により変化する遊技度数と、諸費税の徴収により変化する遊技度数により遊技球の球単価以下の金額として残された金額のデータである。通信部３１４は、例えば、電波などにより上述した媒体ID３１１、遊技度数データ３１２、および未納金データ３１３の情報を有価価値媒体情報読取書込部９１と授受することで、有価価値媒体情報読取書込部９１により各種のデータを読み出させると供に、供給された情報を記録する。尚、以降においては、媒体ID３１１、遊技度数データ３１２、および未納金データ３１３の情報を、総称して有価価値媒体情報と称するものとする。
【００６７】
図９は、会員カード型有価価値媒体３２１の構成を示している。尚、図９において、図８と同様の構成については、同一の符号を付しており、その説明は適宜省略するものとする。図９において、図８と異なるのは、個人ID３３１がさらに含まれていることである。個人ID３３１とは、会員カードを識別する際に発行されるIDであり、会員カードの発行時に登録された個人データ３３１ａを含んでいる。
【００６８】
次に、図１０のフローチャートを参照して、税率球単価設定処理について説明する。
【００６９】
ステップＳ１において、税率球単価設定部２０１は、税率または球単価の設定処理がなされたか否かを判定し、税率または球単価の設定処理がなされるまで、その処理を繰り返す。例えば、ステップＳ１において、税率または球単価の設定処理がなされた場合、ステップＳ２において、税率球単価設定部２０１は、税率または球単価の設定情報を設定情報送信部２０２に供給し、遊技媒体貸出装置３７に送信させる。
【００７０】
ステップＳ１１において、設定情報受信部２５１は、媒体貸出管理装置２４より設定情報が送信されてきたか否かを判定し、送信されてきたと判定されるまで、その処理を繰り返す。ステップＳ１１において、例えば、ステップＳ２の処理により、設定情報が送信されてきた場合、ステップＳ１２において、設定情報受信部２５１は、送信されてきた設定情報を受信して、設定情報登録部２５２に登録させる。
【００７１】
以上の処理により、設定情報が設定情報登録部２５２に登録される。
【００７２】
次に、図１１のフローチャートを参照して、有価価値媒体発行処理について説明する。
【００７３】
ステップＳ２１において、紙幣識別装置８１は、紙幣投入返却口６１に紙幣が投入されたか否かを判定し、紙幣が投入されるまでその処理を繰り返す。ステップＳ２１において、例えば、遊技者が有価価値媒体を購入するために紙幣を、紙幣投入返却口６１に投入した場合、紙幣識別装置８１は、紙幣投入返却口６１に紙幣が投入されたと判定し、ステップＳ２２において、紙幣投入返却口６１を制御して、それ以降の紙幣の投入を禁止状態に設定する。
【００７４】
ステップＳ２３において、紙幣識別装置８１は、投入された紙幣が真券であるか否かを判定し、真券であると判定した場合、処理は、ステップＳ２４に進む。
【００７５】
ステップＳ２４において、紙幣識別装置８１は、投入された紙幣が真券であることと共に、投入された紙幣の金額の情報を有価価値媒体投入返却部８７に通知する。有価価値媒体投入返却部８７は、紙幣を投入した遊技者に対して有価価値媒体を既に所持している場合には、所持している有価価値媒体を投入するように促す表示を表示部６２に表示するように、遊技媒体払出制御部８３に通知する。これに応じて、遊技媒体払出制御部８３は、有価価値媒体を投入するように促す表示を表示部６２に表示する。
【００７６】
ステップＳ２５において、有価価値媒体投入返却部８７は、ICコイン型有価価値媒体投入部６５またはカード型有価価値媒体投入返却部６６よりICコイン型、またはカード型の有価価値媒体が投入されたか否かを判定する。
【００７７】
ステップＳ２５において、有価価値媒体が投入されてこない場合、遊技者は、それまでに生成した有価価値媒体を所持していないものとみなし、ステップＳ２６において、有価価値媒体投入返却部８７は、有価価値媒体発行部２７５を制御して、有価価値が記録されていない有価価値媒体３０１を発行し、有価価値媒体情報読取書込制御部２７３により有価価値情報が記録できる状態にする。より具体的には、例えば、ICコイン型有価価値媒体の場合、有価価値媒体投入返却部８７は、有価価値媒体発行部２７５を制御して、通路９３を介して、図示せぬICコイン型有価価値媒体のホッパよりICに有価価値媒体情報が記録されていないICコイン有価価値媒体を排出させ、搬送部９２にセットさせる。
【００７８】
ステップＳ２７において、有価価値媒体発行部２７５は、有価価値媒体情報読取書込制御部２７３を制御して、投入された紙幣の金額に相当する有価価値媒体情報である、遊技度数データ３１２の情報をセットされている有価価値媒体３０１に記録させる。この際、有価価値媒体発行部２７５は、図８で示したような媒体ID３１１を発行し、媒体ID３１１も有価価値媒体情報読取書込制御部２７３を制御して、有価価値媒体３０１に記録させる。
【００７９】
一方、ステップＳ２５において、有価価値媒体が投入された場合、ステップＳ２６の処理はスキップされる。ただし、この場合、ステップＳ２７においては、投入された有価価値媒体の有価価値である遊技度数に、投入された紙幣の金額に相当する有価価値が加算された遊技度数が有価価値媒体に記録されることになる。また、このように有価価値、すなわち、遊技度数がチャージできるのは、会員カードと一体化された会員用有価価値媒体３２１に限られる。従って、ビジタ用有価価値媒体３０１に限って使用する場合、ステップＳ２５の判定処理は削除するようにしてもよい。
【００８０】
ステップＳ２８において、有価価値媒体情報送受信部２７２は、有価価値媒体読取書込部２７３を制御して、有価価値媒体３０１または３２１に記録されている有価価値媒体情報を読み出し、読み出した有価価値媒体情報を媒体貸出管理装置２４に送信する。
【００８１】
ステップＳ２９において、有価価値媒体投入返却部８７は、投入された紙幣の金額に対応する遊技度数データ３１２を記録した（更新した）有価価値媒体３０１または３２１をカード型有価価値媒体投入返却部６６またはICコイン型有価価値媒体返却部６７より返却する。より具体的には、ICコイン型有価価値媒体の場合、搬送部９２を制御して、図４における矢印Ｂ方向に回転させて、ICコイン型有価価値媒体を返却通路８９を介して、ICコイン型有価価値媒体返却部６７に排出させる。
【００８２】
ステップＳ４１において、有価価値媒体情報送受信部２１２は、遊技媒体貸出装置３７より有価価値媒体情報が送信されてくるか否かを判定し、送信されてくるまでの処理を繰り返す。ステップＳ４１において、例えば、ステップＳ２８の処理により、有価価値媒体情報が送信されてきた場合、ステップＳ４２において、有価価値媒体情報送受信部２１２は、送信されてきた有価価値情報を受信して有価価値媒体情報管理部２１１に供給する。有価価値媒体情報管理部２１１は、供給されてきた有価価値媒体を媒体貸出管理データベース２６に登録する。
【００８３】
以上の処理により、有価価値媒体３０１が発行される（または、有価価値媒体３２１の遊技度数がチャージされる）と共に、有価価値媒体情報が媒体貸出管理データベース２６に登録（更新）される。尚、有価価値媒体が発行される際には、未納金データ３１３についても併せて登録されるが、このときの情報は、いずれもゼロとなることは言うまでもない。
【００８４】
次に、図１２のフローチャートを参照して、遊技媒体貸出処理について説明する。
【００８５】
ステップＳ１０１において、有価価値媒体投入返却部８７は、有価価値媒体３０１または３２１が投入されたか否かを判定し、投入されたと判定されるまで、その処理を繰り返す。ステップＳ１０１において、遊技者が、上記の有価価値媒体３０１または３２１の発行処理により発行された有価価値媒体３０１（または、遊技度数がチャージされた有価価値媒体３２１）を投入した場合、有価価値媒体３０１または３２１が投入されたと判定されたとみなし、処理は、ステップＳ１０２に進む。
【００８６】
ステップＳ１０２において、有価価値媒体投入返却部８７は、以降の有価価値媒体の投入ができないように制御する。
【００８７】
ステップＳ１０３において、有価価値媒体情報読取書込制御部２７３は、投入された有価価値媒体３０１または３２１に記録されている有価価値媒体情報を読み出し、消費税徴収履歴管理部２７１、遊技媒体貸出履歴管理部２７４、および遊技媒体払出制御部８３に供給する。
【００８８】
ステップＳ１０４において、有価価値媒体投入返却部８７は、投入された有価価値媒体が正規のものであるか否かを判定する。より具体的には、有価価値媒体投入返却部８７は、有価価値媒体情報送受信部２７２を制御して、有価価値媒体情報を媒体貸出管理装置２４に送信させる。そして、媒体貸出管理装置２４の有価価値媒体情報送受信部２１２は、送信されてきた有価価値媒体情報を受信して、有価価値媒体情報管理部２１１に供給する。有価価値媒体情報管理部２１１は、供給されてきた有価価値媒体情報を、媒体ID３１１に基づいて、媒体貸出管理データベース２６に対して照合し、正規の有価価値媒体であるか否かを判定し、判定結果を有価価値媒体情報送受信部２１２を制御して、遊技媒体貸出装置３７に送信させる。
【００８９】
有価価値媒体投入返却部８７は、このようにして媒体貸出管理装置２４より送信されてくる判定結果に基づいて、有価価値媒体が正規であるか否かを判定する。
【００９０】
ステップＳ１０４において、投入された有価価値媒体が正規であると判定された場合、ステップＳ１０５において、遊技媒体払出制御部８３は、有価価値媒体情報のうち、遊技度数データ３１２を読み出し、遊技度数が残されているか、すなわち、遊技媒体の貸出が可能な有価価値が記録されているか否かを判定する。
【００９１】
ステップＳ１０５において、例えば、遊技度数が残されていると判定された場合、ステップＳ１０６において、遊技媒体払出制御部８３は、表示部６２に遊技度数を表示させる。
【００９２】
ステップＳ１０７において、遊技媒体払出制御部８３は、消費税徴収履歴管理部２７１に問い合わせて、メモリ２７１ａに記憶されている、消費税遊技媒体数を問い合わせて、読み取る。消費税遊技媒体数は、有価価値媒体が挿入されてからの累積的な値が記録されるものであるので、最初の処理では０となる。
【００９３】
ステップＳ１０８において、遊技媒体払出制御部８３は、操作部６３が操作されて、遊技球の貸し出しが要求されたか否かを判定する。ステップＳ１０８において、遊技球の貸し出しが要求されたと判定された場合、ステップＳ１０９において、遊技媒体払出制御部８３は、消費税対応制御部８２に対して遊技度数の情報を供給する。消費税対応制御部８２は、設定情報登録部２５２に登録されている球単価および消費税の情報に基づいて、消費税を計算し、消費税遊技媒体数に変換する。すなわち、消費税は、必ずしも球単価の倍数とはならないので、消費税対応制御部８２は、求められた消費税額を球単価で割ることにより消費税の徴収額に相当する遊技球数である消費税遊技媒体数を求める。さらに、消費税対応制御部８２は、所定数判定部２４１を制御して、今現在の遊技度数が、所定数遊技球を貸し出した際に発生する消費税分の消費税遊技媒体数と、それまでの消費税遊技媒体数とを加算した遊技度数を除いても、所定数の遊技球数以上残るか否か、すなわち、遊技度数が、貸し出しが要求された所定数の遊技球分の消費税遊技媒体、および、それまでの消費税遊技媒体数とを合算した分以上であるか否かを判定させる。
【００９４】
ステップＳ１０９において、遊技度数が、消費税遊技媒体数を除いても、所定数の遊技球数以上残ると判定された場合、ステップＳ１１０において、消費税対応遊技媒体払出制御部２５３は、その旨を遊技媒体払出制御部８３に通知する。この通知に応じて、遊技媒体払出制御部８３は、遊技媒体払出部８５を制御して所定数の遊技媒体（遊技球）を払い出させ、有価価値媒体投入返却部８７に対して、所定数の遊技球を払い出したことを通知する。
【００９５】
ステップＳ１１１において、有価価値媒体投入返却部８７は、有価価値媒体情報読取書込制御部２７３を制御して、払い出した遊技球数に応じて有価価値媒体の遊技度数データ３１２を更新させる。
【００９６】
ステップＳ１１２において、消費税対応遊技媒体払出制御部８２は、貸し出した遊技球数に相当する消費税遊技媒体数の情報を有価価値媒体投入返却部８７に供給する。これに応じて、有価価値媒体投入返却部８７は、消費税徴収履歴管理部２７１を制御して、メモリ２７１ａに記憶されている、消費税遊技媒体数を、消費税対応遊技媒体払出制御部８２より供給されてきた消費税遊技媒体数に応じて更新させ、処理は、ステップＳ１０７に戻る。
【００９７】
一方、ステップＳ１０９において、遊技度数が、消費税遊技媒体数を除くと、所定数の遊技球数以上残らないと判定された場合、すなわち、要求のあった所定数の遊技媒体の貸し出しができないと判定された場合、ステップＳ１１３において、消費税対応遊技媒体払出制御部２５３は、その旨を遊技媒体払出制御部８３に通知する。この通知に応じて、遊技媒体払出制御部８３は、消費税遊技媒体数を表示部６２に表示する。
【００９８】
ステップＳ１１４において、消費税対応遊技媒体払出制御部２５３は、端数判定部２４２を制御して、遊技度数が、消費税遊技媒体数分の遊技媒体が消費税として徴収されても残るか否かを判定し、例えば、遊技度数が、消費税遊技媒体数が消費税として徴収されても残ると判定した場合、ステップＳ１１５において、その旨を通知する。この通知に応じて、遊技媒体払出制御部８３は、遊技媒体払出制御部８５を制御して、遊技度数から消費税遊技媒体数を差し引いた残りの数の遊技媒体を払い出させる。すなわち、遊技度数から消費税遊技媒体数を差し引いた、所定数に対して端数となる遊技媒体が払い出される。
【００９９】
尚、ステップＳ１１４において、遊技度数が、消費税遊技媒体数が消費税として徴収されると残らないと判定された場合、すなわち、遊技度数と消費税遊技媒体数とが一致している場合、払い出せる遊技球数は０となるので、ステップＳ１１５の処理はスキップされる。
【０１００】
ステップＳ１１６において、未納金計算部２４３は、遊技度数と消費税遊技媒体数とから未納金を計算し、未納金が発生しているか否かを判定し、未納金が発生していると判定した場合、ステップＳ１１７において、計算結果である未納金の情報を有価価値媒体投入返却部８７に供給する。有価価値媒体投入返却部８７の有価価値媒体情報読取書込制御部２７３は、消費税対応制御部８２より供給されてきた未納金の情報に基づいて、有価価値媒体の未納金データ３１３を更新する。
【０１０１】
尚、ステップＳ１１６において、未納金が発生していないと判定された場合、ステップＳ１１７の処理はスキップされる。
【０１０２】
ここで、未納金について説明する。未納金とは、有価価値媒体に記録されている有価価値の情報である、遊技度数に対して、消費税の課税額を遊技媒体の単価に転嫁させることにより発生する、有価価値の端数である。
【０１０３】
未納金は、具体的には、図１３乃至図１５で示されるように、特定の消費税、球単価、および貸し出されるときに払い出される所定数に応じて決まるものである。
【０１０４】
図１３においては、貸し出される遊技球数が、１００円単位における消費税毎の徴収媒体数（消費税遊技媒体数）と未納金を示したものである。図１３乃至図１５においては、上段より消費税が１％間隔で５乃至１５％についてそれぞれ徴収媒体数と未納金とが示されており、また、各列は球単価が１．００円、２．００円、２．５０円、４．００円、および５．００円の場合を示している。
【０１０５】
図１３においては、球単価が１．００円であれば、１回の貸し出しにより払い出される遊技球数（遊技媒体数）は、１００個であり、球単価が２．００円であれば、１回の貸し出しにより払い出される遊技球数（遊技媒体数）は、５０個であり、球単価が２．５０円であれば、１回の貸し出しにより払い出される遊技球数（遊技媒体数）は、４０個であり、球単価が４．００円であれば、１回の貸し出しにより払い出される遊技球数（遊技媒体数）は、２５個であり、球単価が５．００円であれば、１回の貸し出しにより払い出される遊技球数（遊技媒体数）は、２０個となることが示されている。
【０１０６】
図１３で示されるように、例えば、球単価が１．００円の場合、消費税が５乃至１５％であれば、税金分として徴収される徴収媒体数（消費税遊技媒体数）は、５乃至１５個で、未納金は０．００円である。ところが、球単価が２．００円の場合、消費税が５，７，９，１１，１３，１５％であれば、徴収媒体数（消費税遊技媒体数）は、それぞれ３乃至８個で、未納金は１．００円である。すなわち、消費税が５％の場合、消費税として徴収すべき金額は、１００円に対して５．００円であるが、球単価は２．００円であるので、３個を消費税徴収媒体数とすると、１．００円余計に徴収したことになるため、この余分な端数１．００円が未納金として残ることになる。ただし、消費税が６，８，１０，１２，１４％の場合、端数が発生しないので、この場合、未納金は０．００となる。
【０１０７】
同様にして、図１３においては、球単価が２．５０円の場合、消費税が６，１１％であれば、徴収媒体数（消費税遊技媒体数）は、それぞれ３，５個で、未納金は１．５０円であり、消費税が７，１２％であれば、徴収媒体数は、それぞれ３，５個で、未納金は０．５０円であり、消費税が８，１３％であれば、徴収媒体数は、それぞれ４，６個で、未納金は２．００円であり、消費税が９，１４％であれば、徴収媒体数は、それぞれ４，６個で、未納金は１．００円であり、消費税が５，１０，１５％であれば、徴収媒体数は、それぞれ２，４，６個で、未納金は０．００円である。
【０１０８】
また、図１３においては、球単価が４．００円の場合、消費税が５，９，１３％であれば、徴収媒体数（消費税遊技媒体数）は、それぞれ２，３，４個で、未納金は３．００円であり、消費税が６，１０，１４％であれば、徴収媒体数は、それぞれ２，３，４個で、未納金は２．００円であり、消費税が７，１１，１５％であれば、徴収媒体数は、それぞれ２，３，４個で、未納金は１．００円であり、消費税が８，１２％であれば、徴収媒体数は、それぞれ３，４個で、未納金は０．００円である。
【０１０９】
さらに、図１３においては、球単価が５．００円の場合、消費税が５，１０，１５％であれば、徴収媒体数（消費税遊技媒体数）は、それぞれ１，２，３個で、未納金は０．００円であり、消費税が６，１１％であれば、徴収媒体数は、それぞれ２，３個で、未納金は４．００円であり、消費税が７，１２％であれば、徴収媒体数は、それぞれ２，３個で、未納金は３．００円であり、消費税が８，１３％であれば、徴収媒体数は、それぞれ２，３個で、未納金は２．００円であり、消費税が９，１４％であれば、徴収媒体数は、それぞれ２，３個で、未納金は１．００円である。
【０１１０】
また、図１４においては、貸し出される遊技球数が、５００円単位における消費税毎の徴収媒体数と未納金を示したものである。
【０１１１】
図１４においては、球単価が１．００円であれば、１回の貸し出しにより払い出される遊技球数（遊技媒体数）は、５００個であり、球単価が２．００円であれば、１回の貸し出しにより払い出される遊技球数（遊技媒体数）は、２５０個であり、球単価が２．５０円であれば、１回の貸し出しにより払い出される遊技球数（遊技媒体数）は、２００個であり、球単価が４．００円であれば、１回の貸し出しにより払い出される遊技球数（遊技媒体数）は、１２５個であり、球単価が５．００円であれば、１回の貸し出しにより払い出される遊技球数（遊技媒体数）は、１００個となることが示されている。
【０１１２】
図１４で示されるように、例えば、球単価が１．００円の場合、消費税が５乃至１５％であれば、税金分として徴収される徴収媒体数（消費税遊技媒体数）は、２５、３０，３５，４０，４５，５０，５５，６０，６５，７０，７５個で、未納金は０．００円である。また、球単価が２．００円の場合、消費税が５，７，９，１１，１３，１５％であれば、税金分として徴収される徴収媒体数は、１３，１８，２３，２８，３３，３８個で、未納金は１．００円であり、消費税が６，８，１０，１２，１４％であれば、税金分として徴収される徴収媒体数は、１５，２０，２５，３０，３５個で、未納金は０．００円である。
【０１１３】
さらに、図１４において、球単価が２．５０円の場合、消費税が５乃至１５％であれば、税金分として徴収される徴収媒体数は、１０，１２，１４，１６，１８，２０，２２，２４，２６，２８，３０個で、未納金は０．００円である。
【０１１４】
同様にして、図１４においては、球単価が４．００円の場合、消費税が５，９，１３％であれば、徴収媒体数は、それぞれ７，１２，１７個で、未納金は３．００円であり、消費税が６，１０，１４％であれば、徴収媒体数は、それぞれ８，１３，１８個で、未納金は２．００円であり、消費税が７，１１，１５％であれば、徴収媒体数は、それぞれ９，１４，１９個で、未納金は１．００円であり、消費税が８，１２％であれば、徴収媒体数は、それぞれ１０，１５個で、未納金は０．００円である。
【０１１５】
また、図１４においては、球単価が５円の場合、消費税が５乃至１５％であれば、徴収媒体数は、それぞれ５乃至１５個で、未納金は０．００円である。
【０１１６】
さらに、図１５においては、貸し出される遊技球数が、１０００円単位における消費税毎の徴収媒体数（消費税遊技媒体数）と未納金を示したものである。
【０１１７】
図１５においては、球単価が１．００円であれば、１回の貸し出しにより払い出される遊技球数（遊技媒体数）は、１０００個であり、球単価が２．００円であれば、１回の貸し出しにより払い出される遊技球数（遊技媒体数）は、５００個であり、球単価が２．５０円であれば、１回の貸し出しにより払い出される遊技球数（遊技媒体数）は、４００個であり、球単価が４．００円であれば、１回の貸し出しにより払い出される遊技球数（遊技媒体数）は、２５０個であり、球単価が５．００円であれば、１回の貸し出しにより払い出される遊技球数（遊技媒体数）は、２００個となることが示されている。
【０１１８】
図１５で示されるように、球単価が１．００円の場合、消費税が５乃至１５％であれば、税金分として徴収される徴収媒体数（消費税遊技媒体数）は、それぞれ５０，６０，７０，８０，９０，１００，１１０，１２０，１３０，１４０，１５０個で、未納金は０．００円である。また、球単価が２．００円の場合、消費税が５乃至１５％であれば、税金分として徴収される徴収媒体数は、それぞれ２５，３０，３５，４０，４５，５０，５５，６０，６５，７０，７５個で、未納金は０．００円である。さらに、球単価が２．５円の場合、消費税が５乃至１５％であれば、税金分として徴収される徴収媒体数は、それぞれ２０，２４，２８，３２，３６，４０，４４，４８，５２，５６，６０個で、未納金は０．００円である。また、球単価が４．００円の場合、消費税が５乃至１５％であれば、税金分として徴収される徴収媒体数は、それぞれ１３，１５，１８，２０，２３，２５，２８，３０，３３，３５，３８個で、未納金は０．００円である。さらに、球単価が５．００円の場合、消費税が５乃至１５％であれば、税金分として徴収される徴収媒体数は、それぞれ１０，１２，１４，１６，１８，２０，２２，２４，２６，２８，３０個で、未納金は０．００円である。
【０１１９】
このように未納金は、一回に貸し出しする遊技球の金額の単位、球単価、および消費税率により変化する。
【０１２０】
ここで、図１２のフローチャートの説明に戻る。
【０１２１】
ステップＳ１１８において、遊技媒体貸出履歴管理部２７４は、有価価値媒体情報読取書込制御部２７３を制御して、今現在の有価価値媒体情報を読み出し、これを媒体貸出管理装置２４に送信する。このとき、媒体貸出管理装置２４の遊技媒体貸出履歴受信部２１４は、送信されてきた有価価値媒体情報を貸出履歴情報として受信して、遊技媒体貸出履歴記憶部２１３に供給する。遊技媒体貸出履歴記憶部２１３は、供給されてきた最新の有価価値媒体情報を貸出履歴情報として、媒体貸出管理データベース２６の情報を媒体IDに基づいて更新する。
【０１２２】
ステップＳ１１９において、有価価値媒体投入返却部８７は、投入されている今現在処理している有価価値媒体をカード型有価価値媒体投入返却部６６、またはICコイン型有価価値媒体返却部６７に排出して返却する。
【０１２３】
ステップＳ１２０において、有価価値媒体投入返却部８７は、有価価値媒体の投入が禁止されている状態を解除すると共に、消費税徴収履歴管理部２７１を制御してメモリ２７１ａに記録されている消費税遊技媒体数の情報を初期化して０にし、処理は、ステップＳ１０１に戻る。
【０１２４】
一方、ステップＳ１０４において、正規の有価価値媒体ではないと判定された場合、または、ステップＳ１０５において、遊技度数がないと判定された場合、処理は、ステップＳ１１９に進む。
【０１２５】
さらに、ステップＳ１０８において、貸し出しが要求されていないと判定された場合、ステップＳ１２１において、遊技媒体払出制御部８３は、操作部６３が操作されて、有価価値媒体の返却が要求されたか否かを判定する。ステップＳ１２１において、返却が要求されていないと判定された場合、処理は、ステップＳ１０７に戻る。すなわち、貸し出しおよび返却がいずれも要求されていない状態の場合、ステップＳ１０７，Ｓ１０８，Ｓ１２１の処理が繰り返される。
【０１２６】
ステップＳ１２１において、返却が要求されたと判定された場合、ステップＳ１２２において、遊技媒体払出制御部８３は、有価価値媒体投入返却部８７に対して有価価値媒体の返却を指示する。これに応じて、有価価値媒体投入返却部８７の有価価値媒体情報読取書込制御部２７３は、消費税徴収履歴管理部２７１に問い合わせてメモリ２７１ａに記憶されている消費税遊技媒体数を読み出し、今現在の有価価値媒体に記憶されている遊技度数から減算して更新し、処理は、ステップＳ１１８に進む。
【０１２７】
以上の処理により、有価価値媒体を用いて遊技媒体の貸し出す処理を行う際にも、遊技媒体の貸し出しに係る税金を徴収しつつ、遊技媒体を貸し出すことが可能になると共に、一回に貸し出される遊技媒体の個数、遊技球の球単価、または税率により発生しうる端数である未納金を有価価値媒体３０１または３２１に残すようにすることが可能となる。この有価価値媒体３０１または３２１に残された未納金、すなわち、端数については、例えば、端数が球単価となるだけ有価価値媒体を集めた遊技客に対して、対応する遊技球数を別途貸し出せるようにしてもよい。また、図１３乃至図１５でも示されているように、未納金が発生しないように、税率に合わせて、一回に貸し出される遊技媒体の個数、または遊技球の球単価を設定するようにしてもよい。
【０１２８】
さらに、以上の処理においては、基本的に遊技球の貸し出しが指示された場合、消費税として徴収するための消費税遊技媒体数は、メモリ２７１ａに記録されるのみであって、所定数の遊技球数が払い出され、遊技度数が残り少なくなり、消費税遊技媒体数と合わせて所定数の遊技媒体の払出ができない状態になったとき（ステップＳ１０９においてＹｅｓと判定される状態のとき）に限って、所定数の遊技球数以外の端数となる遊技球数が排出されるように制御される。
【０１２９】
遊技媒体払出部８５は、上述の図６で示されるように、スプロケット１３５の回転を制御することにより、払い出される遊技球数が制御されており、いわば媒体通路１３１，１３２内を移動する遊技球のストッパとして機能しながら、払い出される遊技球数が制御されている。
【０１３０】
遊技球の貸し出しが要求される度に、毎回消費税を考慮して計算し、端数を毎回調整して払い出される遊技球数を制御するようにした場合、スプロケット１３５により制御すべき払い出される遊技球数は一定とならないため、スプロケット１３５の回転を払い出す遊技球数に応じて毎回制御する必要がある。このようにすると、スプロケット１３５の回転と停止を繰り返す頻度が若干ながら高まる可能性があり、結果としてスプロケット１３５の寿命を縮める恐れがあった。
【０１３１】
しかしながら、上述したように遊技度数が残り少なくなり、消費税遊技媒体数と合わせて所定数の遊技媒体の払い出しができない状態になったときに限って、所定数の遊技球数以外の端数となる遊技球数が排出されるように制御されることにより、スプロケット１３５の回転の制御を容易なものとすることが可能になると共に、スプロケット１３５の寿命を不必要に短くしないようにすることが可能となる。
【０１３２】
次に、図１６のフローチャートを参照して、第３者遊技店管理データベース更新処理について説明する。
【０１３３】
ステップＳ１２１において、有価価値媒体制御部２０３は、RTC２１５を参照して、所定の時間が経過したか否かを判定し、所定の時間が経過するまで、その処理を繰り返す。
【０１３４】
ステップＳ１２１において、所定の時間が経過したと判定された場合、ステップＳ１２２において、有価価値媒体制御部２０３は、媒体貸出管理データベース２６に記憶されている全ての有価価値媒体情報を読み出し、ステップＳ１２３において、第３者遊技店管理センタ４に送信する。
【０１３５】
ステップＳ１４１において、管理部４ａは、遊技店１の媒体貸出管理装置２４より媒体貸出管理データベース２６に格納されていた有価価値媒体情報が送信されてきたか否かを判定し、送信されてきたと判定されるまで、その処理を繰り返す。
【０１３６】
ステップＳ１４１において、ステップＳ１２３の処理により、媒体貸出管理データベース２６に記憶されている全ての有価価値媒体情報が送信されてきた場合、ステップＳ１４２において、管理部４ａは、送信されてきた媒体貸出管理データベース２６に記憶されている全ての有価価値媒体情報により第３者遊技店管理データベース５を更新する。
【０１３７】
以上の処理を他の遊技店１から送信されてくる有価価値媒体情報に対しても同様に施すことにより、管理すべき全ての遊技店１の有価価値媒体情報が第３者遊技店管理データベース５に回収されて蓄積されることになる。
【０１３８】
次に、図１７のフローチャートを参照して、媒体貸出管理データベース更新処理について説明する。
【０１３９】
ステップＳ１６１において、管理部４ａは、RTC４ｂを参照して、所定の時間が経過したか否かを判定し、所定の時間が経過するまで、その処理を繰り返す。
【０１４０】
ステップＳ１６１において、所定の時間が経過したと判定された場合、ステップＳ１６２において、管理部４ａは、第３者遊技店管理データベース５に記憶されている全ての有価価値媒体情報を読み出し、ステップＳ１６３において、各遊技店１に送信する。
【０１４１】
ステップＳ１８１において、有価価値媒体制御部２０３は、第３者遊技店管理センタ４の管理部４ａより第３者遊技店管理データベース５に格納されていた有価価値媒体情報が送信されてきたか否かを判定し、送信されてきたと判定されるまで、その処理を繰り返す。
【０１４２】
ステップＳ１８１において、例えば、ステップＳ１６３の処理により、第３者遊技店管理データベース５に記憶されている全ての有価価値媒体情報が送信されてきた場合、ステップＳ１８２において、有価価値媒体制御部２０３は、送信されてきた第３者遊技店管理データベース５に記憶されている全ての有価価値媒体情報により媒体貸出管理データベース２６を更新する。
【０１４３】
以上の処理が全ての遊技店１によりなされることにより、管理すべき全ての遊技店１の媒体貸出管理データベース２６には、同一の有価価値媒体情報が蓄積されることになるので、遊技者は、系列の遊技店であれば、有価価値媒体が発行された遊技店に限らず、他の遊技店であっても同一の有価価値媒体により遊技媒体の貸し出しを受けることが可能となる。
【０１４４】
以上によれば、貸出用の遊技媒体の払い出しに際して、貸し出しに係る税金の徴収を考慮しつつ、税金の徴収に際して発生する装置の負荷を低減することが可能となる。さらに、系列の遊技店であれば、遊技者は、全ての遊技店において、どの遊技店で発行された有価価値媒体であっても、遊技球を借り受けることが可能となる。
【０１４５】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１４６】
図１８は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１４７】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１４８】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１４９】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１５０】
また、本明細書において、システムとは、複数の装置により構成される装置全体を表すものである。
【図面の簡単な説明】
【０１５１】
【図１】本発明を適用した遊技媒体貸出管理システムの一実施の形態の構成を示す図である。
【図２】図１の遊技台の例を示す図である。
【図３】図１の遊技媒体貸出装置の例を示す図である。
【図４】図３の遊技媒体貸出装置の側面断面図である。
【図５】図４の遊技媒体払出部の構成例を示す図である。
【図６】図４の遊技媒体払出部の構成例を示す図である。
【図７】図１の媒体貸出管理装置および遊技媒体貸出装置により実現される機能を説明する図である。
【図８】ビジタ用有価価値媒体の構成例を示す図である。
【図９】会員用有価価値媒体の構成例を示す図である。
【図１０】税率球単価設定処理を説明するフローチャートである。
【図１１】有価価値媒体発行処理を説明するフローチャートである。
【図１２】遊技媒体貸出処理を説明するフローチャートである。
【図１３】税率、および球単価と、未納金との関係を説明する図である。
【図１４】税率、および球単価と、未納金との関係を説明する図である。
【図１５】税率、および球単価と、未納金との関係を説明する図である。
【図１６】第３者遊技店管理データベース更新処理を説明するフローチャートである。
【図１７】媒体貸出管理データベース更新処理を説明するフローチャートである。
【図１８】媒体を説明する図である。
【符号の説明】
【０１５２】
１，１−１乃至１−ｎ  遊技店
２  第３者遊技店管理バス
３  公衆通信回線網
４  第３者遊技店管理センタ
５  第３者遊技店管理データベース
２１  遊技店管理装置
２３  遊技台管理データベース
２４  媒体貸出管理装置
２６  媒体貸出管理データベース
３２  精算販売機
３３  貸出機
３４  計数機
３５  貯球払機
３６，３６−１乃至３６−ｍ  遊技台
３７，３７−１乃至３７−ｍ  遊技媒体貸出装置
【図１】
2007307222.tif 000003
【図２】
2007307222.tif 000004
【図３】
2007307222.tif 000005
【図４】
2007307222.tif 000006
【図５】
2007307222.tif 000007
【図６】
2007307222.tif 000008
【図７】
2007307222.tif 000009
【図８】
2007307222.tif 000010
【図９】
2007307222.tif 000011
【図１０】
2007307222.tif 000012
【図１１】
2007307222.tif 000013
【図１２】
2007307222.tif 000014
【図１３】
2007307222.tif 000015
【図１４】
2007307222.tif 000016
【図１５】
2007307222.tif 000017
【図１６】
2007307222.tif 000018
【図１７】
2007307222.tif 000019
【図１８】
2007307222.tif 000020